(57)【要約】【課題】少なくとも３種類のコイルを有し、コンパクトで剛性が高く高次共振特性に優れたレンズホルダを有しながら、コイルの巻線の自動化を可能とすることによりコストダウンと製造工数の低減とを実現できる対物レンズ駆動装置及び光ピックアップ装置を提供する。【解決手段】単一のレンズホルダ５を用いることにより、軽量化と剛性向上を図り、レンズホルダ５の高次共振特性を向上させている。更に、レンズホルダ５は、フォーカシングコイルＦＣ１，ＦＣ２を直接巻き付ける突起部５ｇを有し、突起部５ｇに巻き付けられたフォーカシングコイルＦＣ１，ＦＣ２の周囲には、対物レンズ６の光軸方向におけるフォーカシングコイルＦＣ１，ＦＣ２の全長にわたって、溝又は空間が設けられているので、前記溝又は空間を、巻線を行うためのノズルＮＺを通過させることができ、これによりレンズホルダ５に、フォーカシングコイルＦＣ１，ＦＣ２を直接巻き付けることが可能となり、巻線の自動化を行うことができる。【選択図】図１
2009187619.tif 000002
【特許請求の範囲】
【請求項１】
光源側から入射した光束を、対物レンズを介して光ディスクに集光させる光ピックアップ装置用の対物レンズ駆動装置において、
前記対物レンズを保持する単一のレンズホルダと、
前記レンズホルダにおいて前記対物レンズの光軸を挟んで両側に配置され、前記光軸に対して略９０°傾いた巻軸線を有するトラッキングコイルと、
前記レンズホルダにおいて前記対物レンズの光軸を挟んで両側に配置され、巻線方向を互いに逆方向としており、前記光軸に対して並行して延在する巻軸線を有するフォーカシングコイルと、
前記レンズホルダにおいて前記対物レンズの光軸を挟んで両側に配置されたチルトコイルと、
前記トラッキングコイルと、前記フォーカシングコイルと、前記チルトコイルに対峙する磁石とを有し、
前記レンズホルダは、前記フォーカシングコイルを直接巻き付ける突起部を有し、前記突起部に巻き付けられた前記フォーカシングコイルの周囲には、前記対物レンズの光軸方向における前記フォーカシングコイルの全長にわたって、溝又は空間が設けられていることを特徴とする対物レンズ駆動装置。
【請求項２】
光源側から入射した光束を、対物レンズを介して光ディスクに集光させる光ピックアップ装置用の対物レンズ駆動装置において、
前記対物レンズを保持する単一のレンズホルダと、
前記レンズホルダにおいて前記対物レンズの光軸を挟んで両側に配置され、前記光軸に対して略９０°傾いた巻軸線を有するトラッキングコイルと、
前記レンズホルダにおいて前記対物レンズの光軸を挟んで両側に配置され、巻線方向を互いに逆方向としており、前記光軸に対して並行して延在する巻軸線を有するフォーカシングコイルと、
前記レンズホルダにおいて前記対物レンズを包囲するように配置されたチルトコイルと、
前記トラッキングコイルと、前記フォーカシングコイルと、前記チルトコイルに対峙する磁石とを有し、
前記レンズホルダは、前記フォーカシングコイルを直接巻き付ける突起部を有し、前記突起部に巻き付けられた前記フォーカシングコイルの周囲には、前記対物レンズの光軸方向における前記フォーカシングコイルの全長にわたって、溝又は空間が設けられていることを特徴とする対物レンズ駆動装置。
【請求項３】
前記レンズホルダは、ハウジングに対して前記トラッキングコイルの巻軸線に略平行する複数対のワイヤで支持されており、前記レンズホルダにおけるワイヤの支持部は、一部が切り欠かれており、前記支持部の切り欠かれた部位を通るようにして、前記レンズホルダに前記チルトコイルが直接巻き付けられることを特徴とする請求項２に記載の対物レンズ駆動装置。
【請求項４】
前記チルトコイルが巻き付けられた後、前記トラッキングコイルが巻き付けられることを特徴とする請求項３に記載の対物レンズ駆動装置。
【請求項５】
前記対物レンズの光軸方向における位置に関し、前記トラッキングコイルにおける前記対物レンズの光軸方向の端部のうち前記対物レンズより遠い側の端面の位置は、前記フォーカシングコイルにおける前記対物レンズの光軸方向の端部のうち前記対物レンズに近い側の端面の位置よりも、前記対物レンズから遠い側に位置することを特徴とする請求項１〜４のいずれかに記載の対物レンズ駆動装置。
【請求項６】
前記溝又は空間は、前記フォーカシングコイルと前記トラッキングコイルとの間に設けられていることを特徴とする請求項１〜５のいずれかに記載の対物レンズ駆動装置。
【請求項７】
前記突起部における前期フォーカシングコイルが巻きつけられる外周面は、エッジ部が曲面になっていることを特徴とする請求項１〜６のいずれかに記載の対物レンズ駆動装置。
【請求項８】
前記突起部は、前記トラッキングコイルの巻軸線に直交する方向に延在する一対の壁であることを特徴とする請求項１〜７のいずれかに記載の対物レンズ駆動装置。
【請求項９】
前記一対の壁の両端には、対向する前記壁側に向かって延在する補強壁が接合されていることを特徴とする請求項８に記載の対物レンズ駆動装置。
【請求項１０】
前記レンズホルダは、ハウジングに対して前記トラッキングコイルの巻軸線に略並行する複数対のワイヤで支持されており、前記対物レンズの光軸方向における位置に関し、前記フォーカシングコイルにおける前記対物レンズの光軸方向の端部のうち少なくとも１つの端部の位置は、前記対物レンズの光軸方向に並んだ前記ワイヤのうち、前記対物レンズに最も近いワイヤの位置と、前記対物レンズから最も遠いワイヤの位置との間に位置することを特徴とする請求項１〜９のいずれかに記載の対物レンズ駆動装置。
【請求項１１】
前記レンズホルダは、ハウジングに対して前記トラッキングコイルの巻軸線に略並行する複数対のワイヤで支持されており、前記対物レンズの光軸方向における位置に関し、前記フォーカシングコイルの位置は、前記対物レンズの光軸方向に並んだ前記ワイヤのうち、前記対物レンズに最も近いワイヤの位置と、前記対物レンズから最も遠いワイヤの位置との中間位置よりも、前記対物レンズより遠い側に位置することを特徴とする請求項１〜１０のいずれかに記載の対物レンズ駆動装置。
【請求項１２】
前記対物レンズの光軸方向における位置に関し、前記フォーカシングコイルの位置は、前記レンズホルダにおける前記対物レンズの取り付け面の位置と、前記レンズホルダにおける前記取り付け面に対して反対側の端面の位置との中間位置よりも、前記対物レンズより遠い側に位置することを特徴とする請求項１〜１１のいずれかに記載の対物レンズ駆動装置。
【請求項１３】
前記レンズホルダは、前記対物レンズの光軸方向に見たときに、前記磁石と前記フォーカシングコイルとの間に凸部を有し、前記一対のトラッキングコイルを接続する配線は、前記凸部で折り返されていることを特徴とする請求項１〜１２のいずれかに記載の対物レンズ駆動装置。
【請求項１４】
前記レンズホルダは、前記対物レンズを取り付けた開口の周囲に取り巻くように、４つのリブを形成していることを特徴とする請求項１〜１３のいずれかに記載の対物レンズ駆動装置。
【請求項１５】
前記レンズホルダは、前記対物レンズを取り付けた開口の周囲の壁の少なくとも一部に、第２の切欠を形成していることを特徴とする請求項１〜１４のいずれかに記載の対物レンズ駆動装置。
【請求項１６】
前記レンズホルダにおいて、前記フォーカシングコイルの内側には、ヨークを通す開口が形成されており、前記開口内には、前記対物レンズの光軸に直交する方向に前記レンズホルダと前記ヨークとが相対変位したときに当接する係止部が形成されていることを特徴とする請求項１〜１５のいずれかに記載の対物レンズ駆動装置。
【請求項１７】
前記係止部は平板であり、前記平板上には、２つのリブが並んで延在するように形成されていることを特徴とする請求項１〜１６のいずれかに記載の対物レンズ駆動装置。
【請求項１８】
請求項１〜１７のいずれかに記載の対物レンズ駆動装置を有することを特徴とする光ピックアップ装置。
【発明の詳細な説明】
【技術分野】
【０００１】
本発明は、対物レンズ駆動装置及び光ピックアップ装置に関し、特に、光ディスクに対して情報の記録及び／又は再生を行うことができる光ピックアップ装置に用いると好適な対物レンズ駆動装置及び光ピックアップ装置に関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  Ｄｉｓｃ（登録商標）やＨＤ  ＤＶＤなどの高密度光ディスクに情報の記録及び／又は再生を行える光ピックアップ装置の開発も急速に進んでいる。
【０００３】
ここで、光ピックアップ装置における、集光スポットを形成する対物レンズにおいては、情報の記録及び／又は再生時に、光ディスクの情報記録面に集光スポットを適切に結像させるためのフォーカシング動作と、光ディスクのトラックに適切に追従するトラッキング動作に加え、近年では対物レンズの光軸を傾けるチルト動作も必要になってきている。従って、対物レンズを３軸に駆動するアクチュエータのレンズホルダには、フォーカシング用コイルと、トラッキング用コイルと、チルト用コイルの３種類のコイルを設ける必要があり、それにより３軸アクチュエータのコンパクト化が阻害され、また３軸アクチュエータの組立に非常に時問がかかるという問題がある。
【０００４】
従来のフォーカシングコイルとトラッキングコイルのみを用いた２軸アクチュエータでは、これらのコイルはボビンに巻線を行うことで形成されているが、チルト駆動まで含めた多軸アクチュエータでは、上記に加えチルトコイルも必要となり、全てのコイルを１つのボビンに巻くのが困難で剛性確保も困難であることから、ボビンを省略した、いわゆる空芯コイルをレンズホルダに組み込むことも行われている。しかしながら、小さな空芯コイルに対する結線を手作業で行うと、非常に手間がかかり、配線ミス、断線等を招きやすく歩留まりが悪化するという問題がある。これに対して、コストダウンを図るため、複数個のレンズホルダにコイルを直に巻きつけることも行われている（特許文献１、２）。
【特許文献１】特開２００６−３４４２７６号公報
【特許文献２】特開２００６−６６０１３号公報
【発明の開示】
【発明が解決しようとする課題】
【０００５】
特許文献１には、トラッキングコイルを直接巻き付けた上側ピースと、フォーカシングコイルを直接巻き付けた下側ピースとを接合することで、レンズホルダを形成するようにしている。しかしながら、レンズホルダを２ピースに分けて形成すると、製造工数が増大しコスト高を招くと共に、接合箇所が存在するため剛性が極端に下がったり質量が大きくなり、高次共振特性が悪くなるという問題がある。
【０００６】
特許文献２には、対物レンズを取り付けた上側部材と、フォーカシングコイルを直接巻き付けた下側部材とを接合したレンズホルダに、トラッキングコイルを直接巻き付けたものが開示されている。しかしながら、特許文献１と同様にレンズホルダを２部材に分けて形成しているので、製造工数が増大しコスト高を招くと共に、接合箇所が存在するため剛性が極端に下がったり質量が大きくなり、高次共振特性が悪くなるという問題がある。
【０００７】
本発明は、かかる問題点に鑑みて成されたものであり、少なくとも３種類のコイルを有し、コンパクトで剛性が高く高次共振特性に優れたレンズホルダを有しながら、コイルの巻線の自動化を可能とすることによりコストダウンと製造工数の低減とを実現できる対物レンズ駆動装置及び光ピックアップ装置を提供することを目的とする。
【課題を解決するための手段】
【０００８】
請求項１に記載の対物レンズ駆動装置は、光源側から入射した光束を、対物レンズを介して光ディスクに集光させる光ピックアップ装置用の対物レンズ駆動装置において、
前記対物レンズを保持する単一のレンズホルダと、
前記レンズホルダにおいて前記対物レンズの光軸を挟んで両側に配置され、前記光軸に対して略９０°傾いた巻軸線を有するトラッキングコイルと、
前記レンズホルダにおいて前記対物レンズの光軸を挟んで両側に配置され、巻線方向を互いに逆方向としており、前記光軸に対して並行して延在する巻軸線を有するフォーカシングコイルと、
前記レンズホルダにおいて前記対物レンズの光軸を挟んで両側に配置されたチルトコイルと、
前記トラッキングコイルと、前記フォーカシングコイルと、前記チルトコイルに対峙する磁石とを有し、
前記レンズホルダは、前記フォーカシングコイルを直接巻き付ける突起部を有し、前記突起部に巻き付けられた前記フォーカシングコイルの周囲には、前記対物レンズの光軸方向における前記フォーカシングコイルの全長にわたって、溝又は空間が設けられていることを特徴とする。
【０００９】
請求項２に記載の対物レンズ駆動装置は、光源側から入射した光束を、対物レンズを介して光ディスクに集光させる光ピックアップ装置用の対物レンズ駆動装置において、
前記対物レンズを保持する単一のレンズホルダと、
前記レンズホルダにおいて前記対物レンズの光軸を挟んで両側に配置され、前記光軸に対して略９０°傾いた巻軸線を有するトラッキングコイルと、
前記レンズホルダにおいて前記対物レンズの光軸を挟んで両側に配置され、巻線方向を互いに逆方向としており、前記光軸に対して並行して延在する巻軸線を有するフォーカシングコイルと、
前記レンズホルダにおいて前記対物レンズを包囲するように配置されたチルトコイルと、
前記トラッキングコイルと、前記フォーカシングコイルと、前記チルトコイルに対峙する磁石とを有し、
前記レンズホルダは、前記フォーカシングコイルを直接巻き付ける突起部を有し、前記突起部に巻き付けられた前記フォーカシングコイルの周囲には、前記対物レンズの光軸方向における前記フォーカシングコイルの全長にわたって、溝又は空間が設けられていることを特徴とする。
【００１０】
請求項１，２に記載の本発明によれば、単一のレンズホルダを用いることにより、軽量化と剛性向上を図り、レンズホルダの高次共振特性を向上させている。更に、前記レンズホルダは、前記フォーカシングコイルを直接巻き付ける突起部を有し、前記突起部に巻き付けられた前記フォーカシングコイルの周囲には、前記対物レンズの光軸方向における前記フォーカシングコイルの全長にわたって、溝又は空間が設けられているので、前記溝又は空間内を、巻線を行うためのノズルを通過させることができ、かかるノズルを機械的に動かすことで、前記レンズホルダに前記フォーカシングコイルを直接巻き付けることが可能となり、巻線の自動化を行うことができる。尚、本明細書中、「レンズホルダに直接巻き付ける」とは、レンズホルダの表面に直接巻き付けること、及びレンズホルダの表面に直接巻き付けたコイルの上に直接巻き付けることの双方を含むものとする。
【００１１】
請求項３に記載の対物レンズ駆動装置は、請求項２に記載の発明において、前記レンズホルダは、ハウジングに対して前記トラッキングコイルの巻軸線に略平行する複数対のワイヤで支持されており、前記レンズホルダにおける前記ワイヤの支持部は、一部が切り欠かれており、前記支持部の切り欠かれた部位を通るようにして、前記レンズホルダに前記チルトコイルが直接巻き付けられることを特徴とするので、前記保持部により巻付けを阻害することが回避される。かかる切り欠かれた部位を第１の切欠という。
【００１２】
請求項４に記載の対物レンズ駆動装置は、請求項３に記載の発明において、前記チルトコイルが巻き付けられた後、前記トラッキングコイルが巻き付けられることを特徴とするので、前記レンズホルダに、前記フォーカシングコイルと、前記チルトコイルと、前記フォーカシングコイルとを全て直接巻き付けることが出来、巻付けの自動化も可能となる。
【００１３】
請求項５に記載の対物レンズ駆動装置は、請求項１〜４のいずれかに記載の発明において、前記対物レンズの光軸方向における位置に関し、前記トラッキングコイルにおける前記対物レンズの光軸方向の端部のうち前記対物レンズより遠い側の端面の位置は、前記フォーカシングコイルにおける前記対物レンズの光軸方向の端部のうち前記対物レンズに近い側の端面の位置よりも、前記対物レンズから遠い側に位置することを特徴とするので、前記レンズホルダの全高を抑えつつ、前記トラッキングコイルの感度を高めることができ、前記対物レンズ駆動装置のコンパクト化と性能向上とを両立できる。
【００１４】
請求項６に記載の対物レンズ駆動装置は、請求項１〜５のいずれかに記載の発明において、前記溝又は空間は、前記フォーカシングコイルと前記トラッキングコイルとの間に設けられていることを特徴とするので、前記フォーカシングコイルと前記トラッキングコイルとを、それぞれ独立して前記レンズホルダに直接巻き付けることができる。
【００１５】
請求項７に記載の対物レンズ駆動装置は、請求項１〜６のいずれかに記載の発明において、前記突起部における前期フォーカシングコイルが巻きつけられる外周面は、エッジ部が曲面になっていることを特徴とするので、巻線時にエッジ等によりコイルが切断されることを抑制できる。
【００１６】
請求項８に記載の対物レンズ駆動装置は、請求項１〜７のいずれかに記載の発明において、前記突起部は、前記トラッキングコイルの巻軸線に直交する方向に延在する一対の壁であることを特徴とするので、前記レンズホルダの剛性を高め、高次共振特性を向上させることができる。
【００１７】
請求項９に記載の対物レンズ駆動装置は、請求項８に記載の発明において、前記一対の壁の両端には、対向する前記壁側に向かって延在する補強壁が接合されていることを特徴とするので、前記補強壁により前記フォーカシングコイルが巻き付けられたときの前記壁の倒れを抑制できる。
【００１８】
請求項１０に記載の対物レンズ駆動装置は、請求項１〜９のいずれかに記載の発明において、前記レンズホルダは、ハウジングに対して前記トラッキングコイルの巻軸線に略並行する複数対のワイヤで支持されており、前記対物レンズの光軸方向における位置に関し、前記フォーカシングコイルにおける前記対物レンズの光軸方向の端部のうち少なくとも１つの端部の位置は、前記対物レンズの光軸方向に並んだ前記ワイヤのうち、前記対物レンズに最も近いワイヤの位置と、前記対物レンズから最も遠いワイヤの位置との間に位置することを特徴とするので、前記レンズホルダのコンパクト化を図り、高次共振特性を改善できる。
【００１９】
請求項１１に記載の対物レンズ駆動装置は、請求項１〜１０のいずれかに記載の発明において、前記レンズホルダは、ハウジングに対して前記トラッキングコイルの巻軸線に略並行する複数対のワイヤで支持されており、前記対物レンズの光軸方向における位置に関し、前記フォーカシングコイルの位置は、前記対物レンズの光軸方向に並んだ前記ワイヤのうち、前記対物レンズに最も近いワイヤの位置と、前記対物レンズから最も遠いワイヤの位置との中間位置よりも、前記対物レンズより遠い側に位置することを特徴とするので、前記レンズホルダにおける前記対物レンズの光軸方向の厚みを確保しつつ高い剛性を確保でき、コンパクト化と剛性向上とを両立して、共振特性を向上させることが可能となる。
【００２０】
請求項１２に記載の対物レンズ駆動装置は、請求項１〜１１のいずれかに記載の発明において、前記対物レンズの光軸方向における位置に関し、前記フォーカシングコイルの位置は、前記レンズホルダにおける前記対物レンズの取り付け面の位置と、前記レンズホルダにおける前記取り付け面に対して反対側の端面の位置との中間位置よりも、前記対物レンズより遠い側に位置することを特徴とするので、前記レンズホルダにおける前記対物レンズの光軸方向の厚みを確保しつつ高い剛性を確保でき、コンパクト化と剛性向上とを両立して、共振特性を向上させることが可能となる。
【００２１】
請求項１３に記載の対物レンズ駆動装置は、請求項１〜１２のいずれかに記載の発明において、前記レンズホルダは、前記対物レンズの光軸方向に見たときに、前記磁石と前記フォーカシングコイルとの間に凸部を有し、前記一対のトラッキングコイルを接続する配線は、前記凸部で折り返されていることを特徴とするので、前記一対のトラッキングコイル同士を短距離の配線で連結でき、しかも折り曲げた配線により不要な磁力をキャンセルできる。
【００２２】
請求項１４に記載の対物レンズ駆動装置は、請求項１〜１３のいずれかに記載の発明において、前記レンズホルダは、前記対物レンズを取り付けた開口の周囲に取り巻くように、４つのリブを形成していることを特徴とするので、前記リブにより剛性のバランスを調整することで、前記レンズホルダの曲げ共振時のモードを制御して、変形を小さく抑えることができる。
【００２３】
請求項１５に記載の対物レンズ駆動装置は、請求項１〜１４のいずれかに記載の発明において、前記レンズホルダは、前記対物レンズを取り付けた開口の周囲の壁の少なくとも一部に、第２の切欠を形成していることを特徴とするので、前記第２の切欠により剛性のバランスを調整することで、前記レンズホルダの側面が大きく撓むような共振を制御して、変形を小さく抑えることができる。
【００２４】
請求項１６に記載の対物レンズ駆動装置は、請求項１〜１５のいずれかに記載の発明において、前記レンズホルダにおいて、前記フォーカシングコイルの内側には、ヨークを通す開口が形成されており、前記開口内には、前記対物レンズの光軸に直交する方向に前記レンズホルダと前記ヨークとが相対変位したときに当接する係止部が形成されていることを特徴とするので、前記ヨークと前記フォーカシングコイルとの接触を回避できる。
【００２５】
請求項１７に記載の対物レンズ駆動装置は、請求項１〜１６のいずれかに記載の発明において、前記レンズホルダにおいて、前記係止部は平板であり、前記平板上には、２つのリブが並んで延在するように形成されていることを特徴とするので、前記フォーカシングコイルの接着部を確保できると共に、剛性も向上する。
【００２６】
請求項１８に記載の光ピックアップ装置は、請求項１〜１７のいずれかに記載の対物レンズ駆動装置を有することを特徴とする。
【発明の効果】
【００２７】
本発明によれば、少なくとも３種類のコイルを有し、コンパクトで剛性が高く高次共振特性に優れたレンズホルダを有しながら、コイルの巻線の自動化を可能とすることによりコストダウンと製造工数の低減とを実現できる対物レンズ駆動装置を提供することができる。
【発明を実施するための最良の形態】
【００２８】
以下、図面を参照して、本発明の実施の形態をさらに詳細に説明する。図１は、本実施の形態にかかる対物レンズ駆動装置の斜視図である。図２は、図１のレンズホルダ５を矢印II方向に見た図であり、図３は、図１のレンズホルダ５を矢印III方向に見た図であり、図４〜７は、図１のレンズホルダ５を、方向を変えて見た斜視図である。尚、図示していないが、本実施の形態にかかる対物レンズ駆動装置は、光ピックアップ装置に組み込まれ、不図示の半導体レーザからの光束を、レンズホルダ５で保持した対物レンズ６により集光し、光ディスクの情報記録面に適正な集光スポットを形成することで、情報の記録及び／又は再生が可能となっている。
【００２９】
対物レンズ駆動装置において、図１に示すように、ヨークを兼ねた板状のベース１は、不図示のハウジングに固定されている。ベース１上には、筐体２が固定されており、ベース１及び筐体２は不図示のハウジングの一部を構成する。筐体２の図で手前側には、基板３が取り付けられている。基板３には、片側で３本ずつ、合計６本のワイヤ４の一端が固定されており、各側のワイヤ４は、上下方向に等間隔で平行に並べられ且つベース１に沿って延在している。ワイヤ４の他端側は、レンズホルダ５の側面５ｃに直交するように形成され更に下方に延在する板状の支持部５ｋに挿通され固定されている。支持部５ｋを突き抜けたワイヤ４の他端は、支持部５ｋに近接して側面５ｃに直交するように設けられたコイルのからげ部５ｊに、それぞれハンダ付けされている。からげ部５ｊの一部は、レンズホルダ５に一体的に形成されベース１側に突出した支柱５ｉ（図７参照）上に設けられている。からげ部５ｊは一列でなく千鳥状に配置されていても良い。ワイヤ４は、ベース１に対してレンズホルダ５を移動可能に支持する機能と、不図示の配線が接続される基板３から、コイルに対して給電するための機能とを有する。なお、筐体２内には、ワイヤ４のダンピング効果のあるジェル（不図示）が充填されている。
【００３０】
ベース１に対して可動に支持された樹脂製のレンズホルダ５は、頂面５ａと、それに直交する２対の側面５ｂ、５ｃを有する細長い略直方体状であって、図１に示すように、頂面５ａの中央に形成された円形開口５ｐ（図６）内に対物レンズ６を装着している。この対物レンズ６は、光ピックアップ装置において、光ディスクの情報記録面にレーザ光束を集光するために用いられる。又、レンズホルダ５の頂面５ａには、対物レンズ６と２つの支持部５ｋとの間に、２つの矩形開口５ｅが形成されている。
【００３１】
図２，４、６を参照し、レンズホルダ５の一対の側面５ｂは、ワイヤ４と直交する方向に延在しており、その中央は下方に伸びた延長面５ｆとなっており、ここに矩形板状の突起５ｄが形成され、その周囲にトラッキングコイルＴＲＣ１，ＴＲＣ２が直接巻き付けられている。トラッキングコイルＴＲＣ１，ＴＲＣ２の巻軸線は、対物レンズ６の光軸に略直交する。トラッキングコイルＴＲＣ１，ＴＲＣ２は、同方向に巻き付けられて互いに接続されており、その両端は、両側のトラッキングコイル用からげ部５ｊにそれぞれ接続され、ハンダでワイヤ４に接続されている。
【００３２】
図６において、レンズホルダ５における延長面５ｆとワイヤ４との間には、矩形開口５ｅを挟んで両側に、ワイヤ４に直交する方向（即ちトラッキングコイルＴＲＣ１，ＴＲＣ２の巻軸線に直交する方向）に延在する一対の壁５ｇが形成されている。突起部である一対の壁５ｇの両端には、対向する壁５ｇ側に向かって短く延在する補強壁５ｈが接合されている。従って、レンズホルダ５において、対向する壁５ｇ間で補強壁５ｈは途中で途切れており、その間は切欠となっているため、後述するヨーク１Ａ，１Ｂとの干渉を回避できる。このように壁５ｇと補強壁５ｈを形成することで、フォーカシングコイルＦＣ１，ＦＣ２巻き付け時の壁５ｇの倒れを抑制し、レンズホルダ５の剛性を高め、高次共振特性を向上させることができる。更に、壁５ｇと補強壁５ｈの接合部における外周のエッジ部はラウンド形状（曲面）となっているため、フォーカシングコイルＦＣ１，ＦＣ２の巻付けの際にコイルの断線が生じることが抑制される。
【００３３】
対向する一対の壁５ｇの外側には、図８を参照して後述するようにチルトコイルＴＬＣ１，ＴＬＣ２を介在させて、フォーカシングコイルＦＣ１，ＦＣ２が直接巻き付けられている。但し、これとは逆に、フォーカシングコイルＦＣ１，ＦＣ２を内側に巻き、チルトコイルＴＬＣ１，ＴＬＣ２をその外側に巻き付けても良い。フォーカシングコイルＦＣ１，ＦＣ２の巻軸線は、対物レンズ６の光軸に略平行である。フォーカシングコイルＦＣ１，ＦＣ２は、逆方向に巻き付けられて互いに接続されており、その両端は、両側のフォーカシングコイル用からげ部５ｊにそれぞれ接続され、ハンダでワイヤ４に接続されている。図６に示すように、フォーカシングコイルＦＣ１，ＦＣ２の内側であって、矩形開口５ｅ内には、対物レンズ６側から頂面５ａに平行に延在する平板状の係止部５ｎと、これに対向してワイヤ４側から延在する平板状の係止部５ｍが形成されている。外側の係止部５ｍの突出長さは、内側の係止部５ｎの突出長さより２倍以上長く、且つ係止部５ｍの下面（図６で手前側の面）には、中心を挟んで２つのリブ５ｑが形成されている。フォーカシングコイルＦＣ１，ＦＣ２の上端（図６で奥側の端部）は、リブ５ｑに当接し、不図示の接着剤を用いて接着されている。
【００３４】
図２に示すように、フォーカシングコイルＦＣ１，ＦＣ２における対物レンズ６の光軸方向の端部は、対物レンズ６の光軸方向に並んだ３本のワイヤ４の間に配置されているので、レンズホルダ５の全高を抑えてコンパクト化を図り、更に高次共振特性を改善できる。更に、フォーカシングコイルＦＣ１，ＦＣ２の上端面は、対物レンズ６の光軸方向（図２で上下方向）に並んだ片側３本のワイヤ４の中間点（中央のワイヤ４）より対物レンズ６から遠い側（図２で下側）に配置されているので、レンズホルダ５における対物レンズ６の光軸方向の最小厚みＴ（図２）を所定値以上確保することができ、これによりコンパクトでありながら十分な曲げ剛性を確保でき、共振特性を向上させることが可能となる。
【００３５】
図６において、レンズホルダ５の頂面５ａの下面には、対物レンズ６を取り付けた円形開口５ｐを囲うようにして、４つのリブ５ｓが形成されている。これによりレンズホルダ５の剛性のバランスを調整することで、レンズホルダ５の曲げ共振時のモードを制御して、変形を小さく抑えることができる。加えて、レンズホルダ５は、対物レンズ６を取り付けた円形開口５ｐの周囲の壁（側面５ｃ）の下縁に、変形調整用の切欠（第２の切欠）５ｖ（図３）を形成しているので、かかる変形調整用の切欠５ｖにより剛性のバランスを調整することで、レンズホルダ５の側面５ｃが大きく撓むような共振を制御して、変形を小さく抑えることができる。
【００３６】
図８は、フォーカシングコイルＦＣ１，ＦＣ２の最も対物レンズ６よりの位置における、レンズホルダ５の延長面５ｆと、壁５ｇと、支持部５ｋと、支柱５ｉとの２次元的関係を示す図である。図８において、壁５ｇに巻き付けたフォーカシングコイルＦＣ１，ＦＣ２と、延長面５ｆとの間には、隙間Δ１の空間（又は溝）が存在し、壁５ｇに巻き付けたフォーカシングコイルＦＣ１，ＦＣ２と、支持部５ｋ及び支柱５ｉとの間には最小隙間Δ２の空間（又は溝）が存在する。かかる空間は、図２を参照して、対物レンズ６の光軸方向におけるフォーカシングコイルＦＣ１，ＦＣ２の全長にわたって設けられている。隙間Δ１，Δ２を０．５ｍｍ以上（好ましくは０．７ｍｍ以上）とすれば、線材Ｗを巻き付ける３次元的に移動可能な中空針状ノズルＮＺ（図７に一点鎖線で図示）が、かかる隙間を通過することができるようになるため、機械によりフォーカシングコイルＦＣ１，ＦＣ２の直接巻付けを行うことが可能となる。
【００３７】
図２に示すように、レンズホルダ５の上面側に配置された対物レンズ６の光軸方向（図２で上下方向）における位置に関し、トラッキングコイルＴＲＣ１、ＴＲＣ２における対物レンズ６の光軸方向の端部のうち対物レンズ６より遠い側の端面の位置は、フォーカシングコイルＦＣ１、ＦＣ２における対物レンズ６の光軸方向の端部のうち対物レンズ６に近い側の端面の位置よりも、対物レンズ６から遠い側に位置するので、これによりレンズホルダ５の全高を抑えつつ、トラッキングコイルＴＲＣ１、ＴＲＣ２の領域を広げて感度を高めることができ、対物レンズ駆動装置のコンパクト化と性能向上とを両立できる。尚、対物レンズ６の光軸方向における位置に関し、フォーカシングコイルＦＣ１、ＦＣ２における対物レンズ６に近い端部の位置は、対物レンズ６の光軸方向に並んだワイヤ４のうち、対物レンズ６に最も近い上部のワイヤ４の位置と、対物レンズ６から最も遠い下部のワイヤ４の位置との間に位置するので、レンズホルダ５における対物レンズ６の光軸方向の厚みを確保しつつ高い剛性を確保でき、コンパクト化と剛性向上とを両立して、共振特性を向上させることが可能となる。
【００３８】
また、対物レンズ６の光軸方向における位置に関し、フォーカシングコイルＦＣ１、ＦＣ２の位置は、対物レンズ６の光軸方向に並んだワイヤ４のうち、対物レンズ６に最も近い上部のワイヤ４の位置と、対物レンズ６から最も遠い下部のワイヤ４の位置との中間位置よりも、対物レンズ６より遠い側に位置している。同時に、対物レンズ６の光軸方向における位置に関し、フォーカシングコイルＦＣ１、ＦＣ２の位置は、レンズホルダ５における対物レンズ６の取り付け面（頂面５ａ）と、取り付け面に対してレンズホルダ５の反対側の端面との中間位置よりも、対物レンズ６より遠い側に位置している。これによりレンズホルダ５における対物レンズ６の光軸方向の厚みを確保しつつ高い剛性を確保でき、コンパクト化と剛性向上とを両立して、共振特性を向上させることが可能となる。更に、フォーカシングコイルＦＣ１，ＦＣ２と、トラッキングコイルＴＲＣ１、ＴＲＣ２とは、少なくとも隙間Δ１以上離れて設けられているので、それぞれ独立して直接レンズホルダ５に巻き付けることができる。
【００３９】
図８に示すように、本実施の形態においては、フォーカシングコイルＦＣ１，ＦＣ２の内側において、壁５ｇの外側にチルトコイルＴＬＣ１、ＴＬＣ２が同方向に巻かれた状態で、互いに結線されている。よって、チルトコイルＴＬＣ１、ＴＬＣ２の巻軸線は、対物レンズ６の光軸と平行である。チルトコイルＴＬＣ１、ＴＬＣ２の両端は、両側のチルトコイル用からげ部５ｊにそれぞれ接続され、ハンダでワイヤ４に接続されている。即ち、本実施の形態では、壁５ｇの外側にチルトコイルＴＬＣ１、ＴＬＣ２が直接巻き付けられた後、その上からフォーカシングコイルＦＣ１，ＦＣ２が巻き付けられることとなる。
【００４０】
図１において、レンズホルダ５の２つの矩形開口５ｅ内には、ベース１の一部が折り曲げられてなるヨーク１Ａ、１Ｂがそれぞれ進入している。従って、ヨーク１Ａ，１Ｂの周囲を巻回するようにして、チルトコイルＴＬＣ１、ＴＬＣ２及びフォーカシングコイルＦＣ１，ＦＣ２が配置されている。レンズホルダ５の両側面５ｂに近接対向して、一対の板状の磁石９，１０が、ベース１の一部を折り曲げてなるヨーク１Ｃ、１Ｄに裏当てされた状態で配置されている。磁石９，１０は板厚方向に分極しており、且つ中央で極性が変わっていて、図１で左側は、Ｎ極がフォーカシングコイルＦＣ１（図１で不図示）に対向し、図１で右側は、Ｓ極がフォーカシングコイルＦＣ２に対向している。トラッキングコイルＴＲＣ１，ＴＲＣ２は、片側が磁石９，１０のＮ極に対峙し、残りがＳ極に対峙している。チルトコイルＴＬＣは、磁石９，１０の長手方向を超えて延在している。
【００４１】
次に、本実施の形態にかかる対物レンズ駆動装置の動作について説明する。ワイヤ４を介して、磁石９，１０とヨーク１Ａ、１Ｂとの間に生じた磁気回路中に配置されたフォーカシングコイルＦＣ１，ＦＣ２に電流を供給すると、対物レンズ６の光軸方向の同一方向に付勢する磁力が発生し、それによりレンズホルダ５を対物レンズ６ごと光軸方向に変位させることができる。
【００４２】
更に、ワイヤ４を介して、磁石９又は磁石１０により生じた磁気回路中に配置されたトラッキングコイルＴＲＣ１，ＴＲＣ２に電流を供給すると、対物レンズ６の光軸直交方向の同一方向（トラッキング方向）に付勢する磁力が発生し、それによりレンズホルダ５を対物レンズ６ごとトラッキング方向に変位させることができる。
【００４３】
更に、ワイヤ４を介して、磁石９，１０とヨーク１Ａ、１Ｂとの間に生じた磁気回路中に配置されたチルトコイルＴＬＣ１、ＴＬＣ２に電流を供給すると、磁石９、１０の図１で左側の磁気回路内に配置されたチルトコイルＴＬＣ１は、対物レンズ６の光軸方向の一方向に付勢する磁力が発生し、磁石９、１０の図１で右側の磁気回路内に配置された、対物レンズ６の光軸方向の他方向に付勢する磁力が発生し、それによりレンズホルダ５を対物レンズ６ごと光軸に対して傾けることができる。
【００４４】
図９は、本実施の形態の変形例を示す図である。レンズホルダ５の両側面５ｂには、フォーカシングコイルＦＣ２に隣接して凸部５ｔ（片側のみ図示）を形成している。トラッキングコイルＴＲＣ１からの配線Ｈは、凸部５ｔに引っかけられて折り返された後、レンズホルダ５を横切って反対側の側面５ｂに至り、その凸部５ｔに引っかけられて折り返された後、トラッキングコイルＴＲＣ２に至るようになっている。このように、トラッキングコイルＴＲＣ１、ＴＲＣ２との間の配線Ｈを凸部５ｔに引っかけるようにすることで、対物レンズ６に入射する光束を遮ることが回避される。又、配線Ｈは、磁石９，１０で形成される磁気回路を横切ることになるが、凸部５ｔで折り返されているので、電流を流したときの磁力がキャンセルされるというメリットもある。それ以外の点では、上述した実施の形態と同様である。
【００４５】
図１０は、別な実施の形態にかかる対物レンズ駆動装置の斜視図である。図１１は、本実施の形態にかかるレンズホルダの斜視図である。本実施の形態においては、フォーカシングコイルＦＣ１，ＦＣ２の内側にチルトコイルは設けられておらず、その代わり、レンズホルダ５の周囲（側面５ｂ、５ｃ）に形成された溝（不図示）内に、チルトコイルＴＬＣが直接巻き付けられている。チルトコイルＴＬＣの巻軸線は、対物レンズ６の光軸と略一致する。チルトコイルＴＬＣの両端は、両側のチルトコイル用からげ部５ｊにそれぞれ接続され、ハンダでワイヤ４に接続されている。
【００４６】
特に本実施の形態では、レンズホルダ５の支持部５ｋにおいて、チルトコイルＴＬＣに対応する位置に切欠（第１の切欠）５ｕが形成されている。支持部５ｋに切欠５ｕを形成することで、支持部５ｋに邪魔されることなく、単一のレンズホルダ５にチルトコイルＴＬＣを直接巻き付けることができるため、全てのコイルの巻付けの自動化を図れる。かかる場合、レンズホルダ５の側面５ｂ、５ｃに線材を巻き付けてチルトコイルＴＬＣを形成した後、チルトコイルＴＬＣが通過する部位を切断して突起５ｄ’の周囲に線材を巻き付けてトラッキングコイルＴＲＣ１，ＴＲＣ２を形成した後、壁５ｇの周囲に線材を巻き付けてフォーカシングコイルＦＣ１，ＦＣ２を形成することができる。尚、フォーカシングコイルを形成した後、トレッキングコイルを形成しても良い。
【００４７】
以上、本発明を実施の形態を参照して説明してきたが、本発明は上記実施の形態に限定して解釈されるべきではなく、適宜変更・改良が可能であることはもちろんである。例えば、上述した対物レンズ駆動装置は、３軸の駆動を可能とするが、４軸以上の対物レンズ駆動装置に本発明を適用してもよい。
【図面の簡単な説明】
【００４８】
【図１】本実施の形態にかかる対物レンズ駆動装置の斜視図である。
【図２】図１のレンズホルダ５を矢印II方向に見た図である。
【図３】図１のレンズホルダ５を矢印III方向に見た図である。
【図４】図１のレンズホルダ５を、斜め上方より見た斜視図である。
【図５】図１のレンズホルダ５を、斜め側方より見た斜視図である。
【図６】図１のレンズホルダ５を、斜め下方より見た斜視図である。
【図７】図１のレンズホルダ５を、斜め下方より見た斜視図である。
【図８】レンズホルダ５の延長面５ｆと、壁５ｇと、支持部５ｋと、支柱５ｉとの２次元的関係を示す図である。
【図９】本実施の形態の変形例を示す図である。
【図１０】別な実施の形態にかかる対物レンズ駆動装置の斜視図である。
【図１１】本実施の形態にかかるレンズホルダの斜視図である。
【符号の説明】
【００４９】
１ ベース
１Ａ、１Ｂ ヨーク
１Ｃ、１Ｄ ヨーク
２ 筐体
３ 基板
４ ワイヤ
５ レンズホルダ
５ａ 頂面
５ｂ 側面
５ｃ 側面
５ｄ 突起
５ｅ 矩形開口
５ｆ 延長面
５ｇ 壁
５ｈ 補強壁
５ｉ 支柱
５ｊ からげ部
５ｋ 支持部
５ｍ 係止部
５ｎ 係止部
５ｐ 円形開口
５ｑ リブ
５ｓ リブ
５ｔ 凸部
５ｕ 切欠
５ｖ 変形調整用の切欠
６ 対物レンズ
９，１０ 磁石
ＦＣ１，ＦＣ２ フォーカシングコイル
Ｈ 配線
ＮＺ ノズル
ＴＬＣ１，ＴＬＣ２、ＴＬＣ チルトコイル
ＴＲＣ１，ＴＲＣ２ トラッキングコイル
Ｗ 線材
【図１】
2009187619.tif 000003
【図２】
2009187619.tif 000004
【図３】
2009187619.tif 000005
【図４】
2009187619.tif 000006
【図５】
2009187619.tif 000007
【図６】
2009187619.tif 000008
【図７】
2009187619.tif 000009
【図８】
2009187619.tif 000010
【図９】
2009187619.tif 000011
【図１０】
2009187619.tif 000012
【図１１】
2009187619.tif 000013